(57)【特許請求の範囲】
【請求項１】
ケース(1)と、
当該ケース(1)内に設けられ、患部の皮膚に熱を加えるためのハロゲンランプ(20)と、
皮膚に当接したときに、当該皮膚とハロゲンランプ(20)との間に所定の間隔が形成されるようにするスペーサ(8)と、
を備えており、
上記スペーサ(8)は、
ケース(1)に取り付けられる取着部(80)と、
取着部(80)から斜めに放射状に設けてある、複数本のリブ(81)または筒形状体と、
リブ(81)または筒形状体の先端に設けてあり、緩やかな曲面状をなす皮膚の表面に沿わせた状態で当接させ易く、かつ患部の近傍または患部上に当接して、その当接した部分が治療できなくなるのを防止することができるよう取着部(80)よりも径大な円環状に形成してある当接部(82)と、
を備えていることを特徴とする、
電気または電子灸器。
【請求項２】
請求項１記載の電気または電子灸器と、
上記電気または電子灸器のケース(1)を保持してハロゲンランプ(20)の位置を設定する位置設定手段と、
を備えていることを特徴とする、
電気または電子灸装置。
【発明の詳細な説明】
【０００１】
【発明の属する技術分野】
本発明は電気または電子灸器及び電気または電子灸装置に関する。更に詳しくは、患部に灸治療を行うにあたり、治療後に火傷跡が残らないようにし、また、経穴の位置を知らない人でも経穴またはその近傍に、灸治療を行うことができるようにした、電気または電子灸器及び電気または電子灸装置に関する。
【０００２】
【従来の技術】
痛みは、人が感じる刺激のなかでも最も不快な感覚の一つである。痛みが激しく襲ったり、それ程激しくなくても間隔をおいて何回も襲ったりすると、毎日を暗い気分で過ごすようになる。このように、痛みは苦痛以外のなにものでもない。
【０００３】
しかしながら、身体が痛みを感じるのは、身体に異常が起こっていることの警告反応でもある。このような痛みには、病原菌によるものや、腰痛のように神経作用によるものが知られている。これらのうち神経作用による痛みは、上記のように警告反応であると共に、身体の弱った箇所に対して自己防衛をする神経の働きでもある。この神経の働きを自己の意思で制御することは簡単なことではない。
【０００４】
以前より、上記したような身体の痛みを除去する方法のひとつとして、もぐさを使用した灸が知られている。灸は、もぐさを皮膚の特定の部位（経穴）に置き、これを穏やかに燃焼させて皮膚に適当な熱刺激を与えることで、自然治癒力を促進させ、身体の痛みを除去するようにした療法である。
【０００５】
【発明が解決しようとする課題】
しかし、上記した灸には、次のような課題があった。
もぐさを使用した灸では、もぐさを燃焼させて皮膚にいわば軽い火傷を負わせているので、治療後にもぐさを置いた箇所に黒い斑点状の火傷跡が残ってしまっていた。
【０００６】
また、灸を行うためには、痛んでいる患部と連絡している経穴を知る必要がある。しかし、経穴を知るためには相当の知識と経験が必要であり、通常の人が正確に経穴を知るのは困難であった。
【０００７】
本発明の目的は、上記課題を解決するもので、患部に灸治療を行うにあたり、治療後に火傷跡が残らないようにした電気または電子灸器及び電気または電子灸装置を提供することにある。
また、本発明の他の目的は、経穴の位置を知らない人でも経穴またはその近傍に、灸治療を行うことができるようにした、電気または電子灸器及び電気または電子灸装置を提供することにある。
【０００８】
【課題を解決するための手段】
上記目的を達成するために講じた本発明の手段は次のとおりである。
第１の発明にあっては、
ケースと、
当該ケース内に設けられ、患部の皮膚に熱を加えるためのハロゲンランプと、
皮膚に当接したときに、当該皮膚とハロゲンランプとの間に所定の間隔が形成されるようにするスペーサと、
を備えており、
上記スペーサは、
ケースに取り付けられる取着部と、
取着部から斜めに放射状に設けてある、複数本のリブまたは筒形状体と、
リブまたは筒形状体の先端に設けてあり、緩やかな曲面状をなす皮膚の表面に沿わせた状態で当接させ易く、かつ患部の近傍または患部上に当接して、その当接した部分が治療できなくなるのを防止することができるよう取着部よりも径大な円環状に形成してある当接部と、
を備えていることを特徴とする、
電気または電子灸器である。
【０００９】
第２の発明にあっては、
第１の発明に係る電気または電子灸器と、
上記電気または電子灸器のケースを保持してハロゲンランプの位置を設定する位置設定手段と、
を備えていることを特徴とする、
電気または電子灸装置である。
【００１０】
本明細書において「灸」という用語は、もぐさを使用する通常の意味で使用されている療法のみを指すものではなく、広く皮膚に適当な熱刺激を与えることで、身体の痛みを除去するようにした療法全般のことを意味する概念として使用している。
【００１１】
ハロゲン球は、フィラメントの温度を瞬時に約２５０℃以上にし、その際の熱放射により高温が得られるという立ち上がり良好な特性を備えている。また、電圧の調整により熱放射量を制御して、得られる温度も簡単に変えることができるという特性も備えている。なお、ハロゲン球は、ヨウ素が多く利用されているので、ヨウ素電球とも称される。
【００１２】
（作  用）
本発明に係る電気または電子灸器は、ケースと、当該ケース内に設けられ、患部の皮膚に熱を加えるためのハロゲンランプを備えており、ケース内に設けられたハロゲンランプを患部の皮膚に近づけてこの状態でハロゲンランプを発熱させたり、また、発熱させたハロゲンランプを皮膚に近づけたりして使用する。
【００１３】
本発明に係る電気または電子灸器によれば、ハロゲンランプによる熱を所要時間患部の皮膚に与えることによって、痛みのある患部を熱（灸治療）することができる。そうして熱の刺激によって患部の痛みが除去される。
【００１４】
この結果は実験により導出されたもので理由は定かではない。しかし、本発明に係る電気または電子灸器が、痛みの除去効果を奏するということは、実験により実証済みである。
【００１５】
本発明に係る電気または電子灸器は、皮膚に触れないで治療が行われるので、必要以上に熱を加え過ぎなければ、火傷を負うこともない。従って、従来のように黒い斑点状の火傷跡が残ることもない。
【００１６】
本発明に係る電気または電子灸器は、経穴に対して使用するものではなく、痛みが生じている患部に対して使用し灸治療を行うものであるので、もぐさによる灸治療と違って、治療する人が経穴の位置を知る必要がない。従って、経穴を知らない通常の人でも痛みの除去を簡単に行うことができる。
【００１７】
皮膚に当接したときに、皮膚とハロゲンランプとの間に所定の間隔が形成されるようにするスペーサを備えているので、本発明に係る電気または電子灸器の使用に熟練していない人でも、常に皮膚とハロゲンランプとの間に所定の間隔を形成した状態で、患部に熱を加えることができる。これによりハロゲンランプが遠すぎて灸治療（痛みの除去）が不完全になることが防止でき、また、ハロゲンランプが近すぎて皮膚が火傷を負うことも防止できる。
【００１８】
スペーサは当接部が円環状に形成してあるので、緩やかな曲面状をなす皮膚の表面に沿わせた状態で当接させ易い。これによりスペーサの当接状態を安定させることができ、この状態で治療を行うことができる。また、スペーサは当接部が取着部よりも径大に形成してあるので、スペーサが患部の近傍または患部上に当接して、その当接した部分が治療できなくなるのを防止することができる。
【００１９】
ケースを保持してハロゲンランプの位置を設定する位置設定手段を備えている電気または電子灸装置は、ケースを位置設定手段に保持させることで、例えば、背中等のように患者一人では手の届かない箇所に患部がある場合でも治療することができる。また、手等の不自由な人等でも、ハロゲンランプの位置を固定し身体を適当に動かしてハロゲンランプを患部に当てることにより、患部を灸治療することができる。
【００２０】
【発明の実施の形態】
本発明の実施の形態を図面に基づき更に詳細に説明する。
図１は電気灸器の実施例を示す分解斜視説明図である。
符号Ｅ１は電気灸器（実施の形態では、「電気灸器」の用語は「電子灸器」も含む概念として使用している。）を示している。
【００２１】
電気灸器Ｅ１は、ケース１と、ケース１に着脱可能なキャップ１２と、皮膚に熱を加えるための熱源２と、熱源２によって熱を加える時間を設定するタイマーと、スイッチ４と、コンセント５を備えている。
【００２２】
ケース１は、内部の空洞部が連続する折曲した略「Ｌ」字筒形状に形成してある。ケース１の長い直線側の円筒部分は把持部１０を構成し、短い直線側は本体部１１を構成する。本体部１１の先側の外周部にはネジ溝１１０が形成してある。本体部１１のネジ溝１１０近傍には、電気が供給されていることを示すパイロットランプ１３が設けてある。本体部１１の先部は開口してある。
【００２３】
キャップ１２は、内周面にネジ溝１２０を有する円筒形状に形成してある。キャップ１２は、内周面のネジ溝１２０をケース１のネジ溝１１０に螺合させることでケース１に取り付けられる。キャップ１２は、ケース１に取り付けることでハロゲンランプ２０（後述）の側方を覆って、このハロゲンランプ２０がキャップ１２より出ないようにすることができる。
【００２４】
本実施の形態でケース１及びキャップ１２は、熱源２の熱によっても変形し難いまたはしない耐熱性を有する合成樹脂（ポリエーテルイミド等）で形成してある。しかし、ケース１及びキャップ１２を形成する材料は、特に限定するものではなく、例えば、金属、木材、陶磁器（セラミックスを含む）等で形成することもできる。
【００２５】
また、ケース１は略「Ｌ」字に形成してあるものを使用したが、これも限定するものではなく、例えば、直線状のものを使用することもできる。
更に、ケース１及びキャップ１２は、断面円筒形状に形成してあるものを使用したが、これも限定するものではなく、断面形状は例えば、略楕円筒形状、あるいは略三角筒形状、略四角筒形状、略五画筒形状、略六角筒形状、略七角筒形状、略八角筒形状、略九角筒形状、略十角筒形状等に形成してあるものを使用することもできる。この場合キャップ１２は、挿し込んで取り付けるようにすることができる。
【００２６】
熱源２は、ケース１を構成する本体部１１の先端側内部に設けてある。熱源２は、電球である５５〜６０Ｗのハロゲンランプ２０と、ハロゲンランプ２０を取り付けるソケット２１を備えている。ソケット２１は、内側壁から内方に張り出した支持部材（図示省略）により中央に位置するように固定してある。ハロゲンランプ２０は、下部側を本体部１１の軸方向に向けてソケット２１にねじ込み、フィラメント２０１が治療する皮膚と略平行になるようにして取り付けられる。ハロゲンランプ２０は、球の下側（ソケットへのねじ込み側）に反射部２００が備えてあるものを使用している。ソケット２１に取り付けられたハロゲンランプ２０は、キャップ１２を取り付けない状態で、本体部１１の先部の開口した部分よりやや外方に出ている（図１参照）。
【００２７】
本実施の形態でハロゲンランプ２０は、球の下側（ソケットへのねじ込み側）に反射部２００が備えてあるものを使用したが、ハロゲンランプ２０は、これに限定するものではなく、例えば、本体部１１の内部にソケットの周りを覆うような別体の反射部が設けてあれば、反射部を備えないものを使用することもできる。
【００２８】
タイマーは収容ケース３内に収容して設けてある。タイマーはリレーを備えて構成してある。スイッチ４は、押しボタン式のものが収容ケース３から突出させて設けてある。収容ケース３は、スイッチ４が外部から操作できるように壁部を貫通させて、把持部１０の内部に固定して設けてある。
【００２９】
タイマーは、スイッチ４が押されかつハロゲンランプ２０に電気が通電すると、そのときから通電時間を計測し始め、５秒間経過した後にリレーが切状態になり通電不可（オフ）となるものを使用している。リレーは、リレー自体に電気が供給されない状態になれば、切状態から通電可能な入状態になるという特性を有している。
【００３０】
本実施の形態で示すタイマーの計測する通電時間は、５秒間に設定したが、通電時間は特に限定するものではなく、任意に設定することができる。また、本実施の形態でタイマーは、リレーを利用したものを使用したが、タイマーはこれに限定するものではない。
【００３１】
スイッチ４は、１回押した状態で通電（オン）状態となり、もう一度押したときに通電不可（オフ）の状態になるものを使用している。スイッチ４を押してタイマーに通電（オン）させたときは、パイロットランプ１３が点灯する。詳しくは、リレーが切状態になっておりハロゲンランプ２０が発光しない状態でも、タイマーに通電されていればパイロットランプ１３は点灯する。
【００３２】
本実施の形態で示すスイッチ４は、上記したものと同等の機能を奏することができれば、特に限定するものではなく、例えば、スライド式のもの等を使用することもできる。
【００３３】
コンセント５は、把持部１０の基端側内部に設けてある。把持部１０の先端縁部には閉塞板１００が設けてあり、コンセント５との間に開口部が形成されないようにしてある。
【００３４】
符号６０で示すコードは、一端がコンセント５と接続してあり、他端が収容ケース３内のスイッチ４と接続してある。また、符号６１で示すコードは、一端がソケット２１と接続してあり、他端が収容ケース３内のタイマーと接続してある。スイッチ４とタイマーは収容ケース３内で電気的に接続してある。
電気は、コンセント５からスイッチ４を介してタイマーに流れ、ハロゲンランプ２０に供給される。
【００３５】
符号７は電源コードを示している。電源コード７はコード７０を備えており、コード７０の両端にはプラグ７１が設けてある。コード７０の所要位置には、スライド式のスイッチ７００が設けてある。
【００３６】
本実施の形態で示すスイッチ７００は、上記したものと同等の機能を奏することができれば、特に限定するものではなく、例えば、押しボタン式のもの等を使用することもできる。
【００３７】
（作  用）
電気灸器Ｅ１の作用を使用方法の一例を交えて説明する。
1.電源コード７のスイッチ７００を通電不可（オフ）の状態にして、電源コード７の一方のプラグ７１をコンセント５の差込口に差し込む。次いで、他方のプラグ７１を部屋の壁面等に設けてあるコンセント（図示はしていない）に差し込む。
【００３８】
2.スイッチ７００を操作して通電（オン）状態にする。このときハロゲンランプ２０が発光した場合は、予めスイッチ４が押されており通電（オン）状態になっているということなので、スイッチ４を押して通電不可（オフ）の状態にする。
この場合、パイロットランプ１３も消灯する。
【００３９】
スイッチ７００を通電（オン）状態にしてもハロゲンランプ２０が発光しない場合は、スイッチ４が通電不可（オフ）の状態になっていたということである。
この場合はパイロットランプ１３も点灯しない。
【００４０】
3.スイッチ４が通電不可（オフ）になっている状態で、ケース１の把持部１０を握って、肩こり等で痛くなっている患部の皮膚の近傍に、フィラメント２０１が皮膚と略平行になるように熱源２を近づける。そして、皮膚の表面と熱源２との間隔が、詳しくは、ハロゲンランプ２０のフィラメント２０１との間隔が５〜７ｍｍになるようにする。
【００４１】
4.そして、この状態を維持したままスイッチ４を押す。スイッチ４を押すことにより、通電されてハロゲンランプ２０が発光し発熱する。ハロゲンランプ２０は、特性により瞬時に高温を発する。
タイマーは、スイッチ４が押されてハロゲンランプ２０に通電されたときから通電時間を計測し始める。
【００４２】
5.通電されたときからハロゲンランプ２０による熱が皮膚に加えられる。この状態はハロゲンランプ２０に通電されなくなるまで続けられる。本実施の形態ではタイマーにより通電時間が５秒に設定してあるので、少なくとも５秒間はこの状態を続けて、皮膚に熱が加えられるようにする。このようにすることにより痛みを伴っている患部を熱（灸治療）することができる。
【００４３】
6.タイマーが５秒間を計測すると、リレーが切状態になって通電不可（オフ）の状態になり、ハロゲンランプ２０に通電されないようになる。ハロゲンランプ２０に通電されなくなった状態で、電気灸器Ｅ１を患部から離す。
なお、この状態では依然としてスイッチ４までは電気が供給されている。そのためパイロットランプ１３は点灯したままである。従って、スイッチ４を押して通電不可（オフ）の状態にし、パイロットランプ１３を消灯させる。スイッチ４が通電不可（オフ）の状態になることにより、リレーに電気が供給されなくなり、リレーは切状態から入状態になる。
【００４４】
このようにして熱の刺激によって患部の痛みが除去される。なお、一回の熱刺激では効果が薄いときは、複数回行う。
【００４５】
電気灸器Ｅ１を使用して、肩こりの症状がある５人の患者に対して実験を行ったところ、３人は１回で、他の１人は３回で、最後の１人は５回行うことにより痛みがなくなったという結果を得ることができた。
【００４６】
電気灸器Ｅ１は、皮膚に触れないで灸治療が行われ、更にハロゲンランプ２０に通電する時間を設定するタイマーも備えているので、熱を加える時間が足りずに灸治療（痛みの除去）が不完全になることが防止でき、また、火傷を負うことも防止できる。このように火傷を負うこともないので、従来のように黒い斑点状の火傷跡が残ることもない。
【００４７】
電気灸器Ｅ１は、経穴に対して使用するものではなく、痛みが生じている患部に対して使用し灸治療を行うものである。そのため、もぐさによる灸治療と違って、治療する人が経穴の位置を知る必要がない。従って、経穴を知らない通常の人でも痛みの除去を簡単に行うことができる。
【００４８】
なお、電気灸器Ｅ１を使用した治療は、治療を受ける人が「ハロゲンランプ２０が直接皮膚に触れることはないし、熱を加える時間も５秒と短い時間であるから、この治療は安全である。もし、幾分か熱く感じたとしても、直ぐ終わるから心配いらない」という気持ちで行い、患部を動かさないようにすることにより効果が顕著に現れることが多い。これはいわば自らに自己暗示をかけることによって、通常ならば恐怖感や不安感等によって無意識に自己を守ろうとして働く自己防衛機能を封じ込めることができ、この自己防衛反応が働いていない状態で治療が行われるからであると思われる。従って、電気灸器Ｅ１を使用した治療は、上記したような自己暗示によって患部に自己防衛反応を起こさせないようにした状態で行うことが望ましい。
【００４９】
本実施の形態では皮膚とフィラメント２０１との間隔が５〜７ｍｍになるように説明したが、この間隔は使用するハロゲンランプの規格の違いによる発熱量の違い等によって適宜変更するものであり、特に限定するものではない。例えば、本実施の形態で示すものよりも大きな電力を使うものであれば、間隔は５〜７ｍｍよりも大きくする。逆に小さな電力を使うものであれば、間隔は５〜７ｍｍよりも小さくする。
【００５０】
本実施の形態では、熱源２を皮膚に近づけた後にハロゲンランプ２０を発熱させるようにしたが、例えば、発熱させたハロゲンランプ２０を皮膚に近づけるようにして使用することもできる。
【００５１】
図２は本発明に係る電気灸器の一実施の形態を示す分解斜視説明図である。
符号Ｅ２は電気灸器を示している。電気灸器Ｅ２は、上記した電気灸器Ｅ１にスペーサ８を備えたものである。なお、電気灸器Ｅ１についての説明は上記したので省略する。
【００５２】
スペーサ８は、円環状の当接部８２（後述）を皮膚に当接させることにより、常に皮膚とハロゲンランプ２０との間に所定の間隔が形成できるようにするものである。
【００５３】
スペーサ８は、本体部１１の外径よりもやや内径の大きい円筒状に形成してある取着部８０と、取着部８０の外周面から軸方向の一方側に向けて斜めに放射状に設けてある複数本のリブ８１と、リブ８１の先端に設けてあり、取着部８０の約二倍の内径を有する当接部８２で構成してある。
【００５４】
取着部８０の当接部８２側の内縁部には、内方にやや膨出させてストッパー部８００が形成してある。スペーサ８は、取着部８０を本体部１１の先部側に挿し込んで本体部１１の先端をストッパー部８００に当てて、動かないようにして取り付けられる。
【００５５】
スペーサ８の当接部８２は、患部の近傍または患部上にスペーサ８が当接して、その当接した部分が治療できなくなるのを防止するために、取着部８０よりも径大に形成してある。
本実施の形態で当接部８２の内径は約１０ｃｍにしてあるが、当接部８２の内径はこれに限定されない。また、当接部８２の形状も円環状に限定するものではなく、例えば、略楕円形状、あるいは略三角形状、略四角形状、略五角形状、略六角形状、略七角形状、略八角形状、略九角形状、略十角形状等の多角形状とすることもできる。また、リブ８１の代わりに筒形状のものを設けることもできる。
【００５６】
スペーサ８は、本体部１１の先部側に取り付けた場合に、本体部１１の開口部が当接部８２の略中心に位置し、また、当接部８２を皮膚に当接させた場合に、皮膚とフィラメント２０１との間隔が５〜７ｍｍになるように形成してある。
【００５７】
本実施の形態でスペーサ８は、熱源２の熱によっても変形し難いまたはしない耐熱性を有する合成樹脂（ポリエーテルイミド等）で形成してある。しかし、スペーサ８を形成する材料は、特に限定するものではなく、例えば、木材等で形成することもできる。
【００５８】
（作  用）
電気灸器Ｅ２の作用を使用方法を交えて説明する。
なお、上記した電気灸器Ｅ１と共通する構成により生じる同様の作用、効果については説明を省略し、相違する点について説明する。
【００５９】
スペーサ８を使用することにより、使用に熟練していない人でも常に皮膚とハロゲンランプ２０との間を所定の間隔にすることができ、この状態で患部に熱を加えることができる。これによりハロゲンランプ２０が遠すぎて灸治療（痛みの除去）が不完全になることが防止でき、また、ハロゲンランプ２０が近すぎて皮膚が火傷を負うことも防止できる。
【００６０】
また、スペーサ８は、当接部８２が円環状に形成してあるので、緩やかな曲面状をなす皮膚の表面に沿わせた状態で当接させ易い。これによりスペーサ８の当接状態を安定させることができ、この状態で治療を行うことができる。
【００６１】
図３は本発明に係る電気灸装置の一実施の形態を示す使用状態説明図、
図４は図３に示す電気灸装置の位置設定装置を示す斜視説明図である。
符号Ｓは電気灸装置を示している。電気灸装置Ｓは、電気灸器Ｅ２と、電気灸器Ｅ２を保持して所要の位置に設定する位置設定装置９を備えている。なお、電気灸器Ｅ２についての説明は上記したので省略する。また、図３で治療を受ける患者Ｋは、想像線で示している。
【００６２】
位置設定装置９は、平面視略四角形状に形成してある略板状の台部９０と、台部９０の略中央から上方に向けて取り付けられている屈曲自在で状態が維持可能なフレキシブル管９１と、フレキシブル管９１の先部に取り付けてある保持部９２を備えている。
【００６３】
台部９０の側部には、先端にプラグ９０２を有する電源コード９０１が接続してある。本実施の形態で台部９０は、平面視略四角形状に形成してある略板状のものを使用したが、台部の形状はこれに限定するものではない。例えば、平面視において、略円形状、あるいは略楕円形状、略三角形状、略四角形状、略五角形状、略六角形状、略七角形状、略八角形状、略九角形状、略十角形状等を有する板状や柱形状や錐形状のものを使用することもできる。
【００６４】
保持部９２は、把持部１０の下側を受ける略樋状の下側受け部９２０と、把持部１０の上側に被さる上側受け部９２１を備えている。上側受け部９２１は、下側受け部９２０の側縁部に蝶番９２２を介して回動可能に取り付けてあり、下側受け部９２０の上方に位置させて固定金具９２３により動かないように固定が可能である。
【００６５】
下側受け部９２０の下側には、先端にプラグ９２４を有する電源コード９２５が接続してある。電源コード９２５の基部側は、フレキシブル管９１内を通って、電源コード９０１と接続してある。
【００６６】
（作  用）
電気灸装置Ｓの作用を使用方法を交えて説明する。
なお、上記した電気灸器Ｅ２と共通する構成により生じる同様の作用、効果については説明を省略し、主として相違する点について説明する。
【００６７】
1.位置設定装置９を床面上に設置する。電気灸器Ｅ２を保持部９２に保持させて固定する。電気灸器Ｅ２は、下側受け部９２０上に把持部１０を載せ、把持部１０の上側に上側受け部９２１を回動させて被せて、固定金具９２３を使用して固定される。プラグ９２４をコンセント５の差込口に差し込む。
【００６８】
2.電源コード７のスイッチ７００を通電不可（オフ）の状態にして、電源コード７の一方のプラグ７１を電源コード９０１のプラグ９０２に差し込む。次いで、他方のプラグ７１を部屋の壁面等に設けてあるコンセント（図示はしていない）に差し込む。そして、電気灸装置Ｓ側のスイッチ４を押して通電（オン）可能な状態になるようにしておく。
【００６９】
3.次に、フレキシブル管９１を適宜屈曲させて、肩こり等の症状のある患部の皮膚の近傍に熱源２を近づけ、スペーサ８の当接部８２が皮膚と当接するように位置設定装置９を設定する。
【００７０】
4.この状態を維持したまま電源コード７のスイッチ７００を入れる。スイッチ７００を入れることにより、通電されてハロゲンランプ２０が発光し発熱する。
このときハロゲンランプ２０が発光しない場合は、スイッチ４が通電不可（オフ）の状態になっているということなので、スイッチ７００を通電不可（オフ）の状態に戻して、スイッチ４を押して通電（オン）の状態にする。そして、再度、スイッチ７００を入れる。
【００７１】
5.ハロゲンランプ２０が発光してタイマーが５秒間を計測すると、リレーの接点が開いて通電不可（オフ）の状態になる。なお、この状態では依然としてスイッチ４までは電気が供給されている。そのためパイロットランプ１３は点灯したままである。
【００７２】
治療を一回で止めるときは、スイッチ４を押して通電不可（オフ）の状態にし、パイロットランプ１３を消灯させる。スイッチ７００も通電不可（オフ）の状態する。スイッチ４やスイッチ７００を通電不可（オフ）の状態にすることにより、リレーに電気が供給されなくなり、リレーは切状態から入状態になる。これにより次回使用するときは、スイッチ４を押して、スイッチ７００を入れればよい。
【００７３】
6.治療を複数回行うときは、スイッチ７００を通電不可（オフ）の状態にしてリレーを入状態にし、再びスイッチ７００を通電（オン）状態にする。
【００７４】
電気灸装置Ｓによれば、例えば、背中等のように患者一人では手の届かない箇所に患部がある場合でも、電源コード７のスイッチ７００を操作すればよいので、一人でも治療することができる。また、手等の不自由な人等でも、ハロゲンランプの位置を固定し身体を適当に動かしてハロゲンランプを患部に当てることにより、患部の治療がし易くできる。
【００７５】
本実施の形態で位置設定装置９は、台部９０を備え、この台部９０を床面上に設置して使用するものを示したが、位置設定装置はこれに限定するものではなく、例えば、患者の身体に装着することで設置可能なものを使用することもできる。
【００７６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００７７】
【発明の効果】
本発明は上記構成を備え、次の効果を有する。
（ａ）本発明によれば、ハロゲンランプによる熱を所要時間患部の皮膚に与え、痛みのある患部を熱（灸治療）することによって、熱の刺激により患部の痛みを除去することができる。
【００７８】
（ｂ）本発明によれば、皮膚に触れないで治療が行われるので、必要以上に熱を加え過ぎなければ、火傷を負うこともない。従って、従来のように黒い斑点状の火傷跡が残ることもない。
【００７９】
（ｃ）本発明に係るものは、経穴に対して使用するものではなく、痛みが生じている患部に対して使用し灸治療を行うものであるので、もぐさによる灸治療と違って、治療する人が経穴の位置を知る必要がない。従って、経穴を知らない通常の人でも痛みの除去を簡単に行うことができる。
【００８０】
（ｄ）皮膚に当接したときに、皮膚とハロゲンランプとの間に所定の間隔が形成されるようにするスペーサを備えているので、本発明に係るものの使用に熟練していない人でも、常に皮膚とハロゲンランプとの間に所定の間隔を形成した状態で、患部に熱を加えることができる。これによりハロゲンランプが遠すぎて灸治療（痛みの除去）が不完全になることが防止でき、また、ハロゲンランプが近すぎて皮膚が火傷を負うことも防止できる。
【００８１】
（ｅ）スペーサは当接部が円環状に形成してあるので、緩やかな曲面状をなす皮膚の表面に沿わせた状態で当接させ易い。これによりスペーサの当接状態を安定させることができ、この状態で治療を行うことができる。また、スペーサは当接部が取着部よりも径大に形成してあるので、スペーサが患部の近傍または患部上に当接して、その当接した部分が治療できなくなるのを防止することができる。
【００８２】
（ｆ）ケースを保持してハロゲンランプの位置を設定する位置設定手段を備えているものは、ケースを位置設定手段に保持させることで、例えば、背中等のように患者一人では手の届かない箇所に患部がある場合でも治療することができる。また、手等の不自由な人等でも、ハロゲンランプの位置を固定し身体を適当に動かしてハロゲンランプを患部に当てることにより、患部を灸治療することができる。
【図面の簡単な説明】
【図１】  本発明に係る電気灸器の第１の実施の形態を示す分解斜視説明図。
【図２】  本発明に係る電気灸器の第２の実施の形態を示す分解斜視説明図。
【図３】  本発明に係る電気灸装置の一実施の形態を示す使用状態説明図。
【図４】  図３に示す電気灸装置の位置設定装置を示す斜視説明図。
【符号の説明】
Ｅ１，Ｅ２  電気灸器
Ｓ  電気灸装置
Ｋ  患者
１  ケース
１０  把持部
１００  閉塞板
１１  本体部
１１０  ネジ溝
１２  キャップ
１２０  ネジ溝
１３  パイロットランプ
２  熱源
２０  ハロゲンランプ
２００  反射部
２０１  フィラメント
２１  ソケット
３  収容ケース
４  スイッチ
５  コンセント
６０  コード
６１  コード
７  電源コード
７０  コード
７００  スイッチ
７１  プラグ
８  スペーサ
８０  取着部
８００  ストッパー部
８１  リブ
８２  当接部
９  位置設定装置
９０  台部
９０１  電源コード
９０２  プラグ
９１  フレキシブル管
９２  保持部
９２０  下側受け部
９２１  上側受け部
９２２  蝶番
９２３  固定金具
９２４  プラグ
９２５  電源コード
【図１】
0003784277.tif 000002
【図２】
0003784277.tif 000003
【図３】
0003784277.tif 000004
【図４】
0003784277.tif 000005